(57)【要約】【課題】ターボ符号とＭＩＭＯを組み合わせた通信システムにおいて、最大固有値と他の固有値との差が大きい場合であっても十分な通信品質の改善効果を得ること。【解決手段】固有値展開部１０３は、入力信号の相関行列または共分散行列における固有値および固有ベクトルを算出する。割り当て方法選択部１０４は、最大固有値と他の固有値との比率が閾値以下の場合、システマティックビットを各固有ベクトルで送信する符号割り当て方法を選択する。この結果、通信装置１００は、各固有ベクトルにてシステマティックビットＸを送信する。一方、割り当て方法選択部１０４は、最大固有値と他の固有値との比率が閾値よりも大きい場合、システマティックビットを最大固有値の固有ベクトルのみで送信する符号割り当て方法を選択する。この結果、通信装置１００は、最大固有値の固有ベクトルのみにてシステマティックビットＸを送信する。【選択図】      図１
2004266364.tif 000002
【特許請求の範囲】
【請求項１】
送受信双方にアレーアンテナを用いて複数の固有ベクトルにより独立な信号を送受信するシステムに用いられる通信装置であって、
送信データに対してターボ符号化を行いシステマティックビット及びパリティビットの符号化データを得るターボ符号化手段と、前記各固有ベクトルの固有値を算出する固有値算出手段と、最大固有値と他の固有値との比率に基づいて前記各固有ベクトルから送信する符号化データの割り当て方法を選択する割り当て方法選択手段と、選択された割り当て方法に基づいて前記各固有ベクトルにより所定の符号化データを送信する送信手段とを具備することを特徴とする通信装置。
【請求項２】
前記割り当て方法選択手段は、最大固有値と他の固有値との比率が所定の閾値より大きい場合には最大固有値の固有ベクトルからのみシステマティックビットを送信する第１の割り当て方法を選択し、最大固有値と他の固有値との比率が前記閾値以下の場合には全ての固有ベクトルからシステマティックビットを送信する第２の割り当て方法を選択することを特徴とする請求項１記載の通信装置。
【請求項３】
パリティビットをリピティションするリピティション手段を具備し、前記送信手段は、前記割り当て方法選択手段が前記第１の割り当て方法を選択した場合、最大固有値以外の固有ベクトルから前記リピティション後のパリティビットを送信することを特徴とする請求項２記載の通信装置。
【請求項４】
パリティビットをパンクチャするパンクチャ手段を具備し、前記リピティション手段は、パンクチャされたパリティビットをリピティションし、前記送信手段は、前記割り当て方法選択手段が前記第１の割り当て方法を選択した場合、最大固有値の固有ベクトルからシステマティックビット及び前記パンクチャによって残ったパリティビットを送信し、最大固有値以外の固有ベクトルから前記リピティション後のパリティビットを送信することを特徴とする請求項３記載の通信装置。
【請求項５】
前記送信手段は、前記割り当て方法選択手段が選択した割り当て方法を示す割り当て方法指示コマンドを最大固有値の固有ベクトルから送信することを特徴とする請求項１から請求項４のいずれかに記載の通信装置。
【請求項６】
送受信双方にアレーアンテナを用いて複数の固有ベクトルにより独立な信号を送受信するシステムに用いられ、請求項５記載の通信装置と無線通信を行う通信装置であって、
最大固有値の固有ベクトルにて送信された信号から割り当て方法指示コマンドを抽出して各固有ベクトルに対する符号化データの割り当て方法を判定する割り当て方法判定手段と、前記割り当て方法判定手段の判定結果に基づいて各固有ベクトルにて送信された符号化データに対してターボ復号を行うターボ復号手段とを具備することを特徴とする通信装置。
【請求項７】
送受信双方にアレーアンテナを用いて複数の固有ベクトルにより独立な信号を送受信するシステムに用いられる通信方法であって、
送信データに対してターボ符号化を行いシステマティックビット及びパリティビットの符号化データを得る工程と、前記各固有ベクトルの固有値を算出する工程と、最大固有値と他の固有値との比率に基づいて前記各固有ベクトルから送信する符号化データの割り当て方法を選択する工程と、選択された割り当て方法に基づいて前記各固有ベクトルにより所定の符号化データを送信する工程とを具備することを特徴とする通信方法。
【発明の詳細な説明】
【０００１】
【発明の属する技術分野】
本発明は、ターボ符号とＭＩＭＯ（Ｍｕｌｔｉｐｌｅ−Ｉｎｐｕｔ  Ｍｕｌｔｉｐｌｅ−Ｏｕｔｐｕｔ）を組み合わせた通信システムに用いられる通信装置及び通信方法に関する。
【０００２】
【従来の技術】
無線通信において、誤り訂正符号は、高信頼度の情報を送受するために欠くことのできない技術である。そして、近年、強力な誤り訂正能力を持つ訂正符号として、ターボ符号が注目を浴びている。
【０００３】
基本的なターボ符号器は、図６に示すように、複数の再帰的組織畳み込み符号器（ＲＳＣ）のインターリーバを介した並列接続により構成され、システマティックビット（情報ビット）ＸとパリティビットＹ１、Ｙ２を出力する。
【０００４】
また、近年、限られた周波数帯域を有効に利用し、高速伝送を実現するシステムとして、ＭＩＭＯ（Ｍｕｌｔｉｐｌｅ−Ｉｎｐｕｔ  Ｍｕｌｔｉｐｌｅ−Ｏｕｔｐｕｔ）が注目されている。
【０００５】
ＭＩＭＯは、送受信双方にアレーアンテナを用い、複数の固有ベクトルにより独立な信号を同一帯域において同時に送受信するシステムである。このＭＩＭＯを用いることにより周波数帯域の拡大なしに伝送容量の拡大を図ることができる。
【０００６】
一方の通信装置がＭ本のアレーアンテナを具備し、他方の通信装置がＮ本のアレーアンテナを具備するシステムの場合（Ｍ、Ｎは２以上の自然数）、ＭＩＭＯチャネルの応答行列Ａは、固有ベクトルｉ（ｉ＝１，２，３・・・Ｍｏ）における固有値λｉを用いて、以下の式（１）によって表現される。
【数１】
2004266364.tif 000003
【０００７】
なお、式（１）において、ｅｔ，ｉは、相関行列ＡＨＡの固有値λｉに属する送信側の固有ベクトル、ｅｒ，ｉは、相関行列ＡＡＨの固有値λｉに属する受信側の固有ベクトルである。
【０００８】
そして、ターボ符号とＭＩＭＯを組み合わせて通信品質の改善を図る研究も行われている（例えば、非特許文献１）。
【０００９】
ここで、送信されるシステマティックビットとパリティビットの割合が固有ベクトル間で等しい場合、各固有値が均一であるほど通信品質の改善量が向上し、最大固有値と他の固有値との差が大きいほど通信品質の改善効果が低減してしまう。
【００１０】
【非特許文献１】
２００２年ＲＣＳ研究会信学技報ＲＣＳ２００２−９３、”ＭＩＭＯチャネルにおけるＳＤＭターボ符号の検討”
【００１１】
【発明が解決しようとする課題】
しかしながら、従来の通信システムでは、固有値の大きさを考慮せず、各固有ベクトルのシステマティックビットとパリティビットの割合は常に一定であるため、最大固有値と他の固有値との差が大きい場合には、ターボ符号を用いることによる通信品質の改善効果が低減してしまう。
【００１２】
特に、セルラーシステムの基地局のように広範囲をカバーすることを目的として送信側のアンテナを高く設定するような状況では、最大固有値が他の固有値に比べて飛びぬけて大きな値となるため、何らかの改善が必要となると思われる。
【００１３】
本発明はかかる点に鑑みてなされたものであり、ターボ符号とＭＩＭＯを組み合わせた通信システムにおいて、最大固有値と他の固有値との差が大きい場合であっても十分な通信品質の改善効果を得ることができる通信装置及び通信方法を提供することを目的とする。
【００１４】
【課題を解決するための手段】
本発明の通信装置は、送受信双方にアレーアンテナを用いて複数の固有ベクトルにより独立な信号を送受信するシステムに用いられる通信装置であって、送信データに対してターボ符号化を行いシステマティックビット及びパリティビットの符号化データを得るターボ符号化手段と、前記各固有ベクトルの固有値を算出する固有値算出手段と、最大固有値と他の固有値との比率に基づいて前記各固有ベクトルから送信する符号化データの割り当て方法を選択する割り当て方法選択手段と、選択された割り当て方法に基づいて前記各固有ベクトルにより所定の符号化データを送信する送信手段とを具備する構成を採る。
【００１５】
本発明の通信装置における前記割り当て方法選択手段は、最大固有値と他の固有値との比率が所定の閾値より大きい場合には最大固有値の固有ベクトルからのみシステマティックビットを送信する第１の割り当て方法を選択し、最大固有値と他の固有値との比率が前記閾値以下の場合には全ての固有ベクトルからシステマティックビットを送信する第２の割り当て方法を選択する構成を採る。
【００１６】
これらの構成により、各固有値が均一の場合には各固有ベクトルにてシステマティックビットを送信し、最大固有値が他の固有値よりも非常に大きい場合にはシステマティックビットを最大固有値の固有ベクトルのみで送信することができるので、通信品質の改善についてターボ符号とＭＩＭＯを組み合わせることによる最大限の効果を得ることができる。
【００１７】
本発明の通信装置は、パリティビットをリピティションするリピティション手段を具備し、前記送信手段は、前記割り当て方法選択手段が前記第１の割り当て方法を選択した場合、最大固有値以外の固有ベクトルから前記リピティション後のパリティビットを送信する構成を採る。
【００１８】
この構成により、固有値が小さい固有ベクトルでリピティションを用いることで信号品質を改善することができ、ビーム間の品質を均一化することができる。
【００１９】
本発明の通信装置は、パリティビットをパンクチャするパンクチャ手段を具備し、前記リピティション手段は、パンクチャされたパリティビットをリピティションし、前記送信手段は、前記割り当て方法選択手段が前記第１の割り当て方法を選択した場合、最大固有値の固有ベクトルからシステマティックビット及び前記パンクチャによって残ったパリティビットを送信し、最大固有値以外の固有ベクトルから前記リピティション後のパリティビットを送信する構成を採る。
【００２０】
この構成により、最大固有値の固有ベクトルから送信する信号を１つの符号化単位として完結させることができるとともに、最大固有値以外の固有ベクトルから送信される符号化データに復号の際の補助的な役割を持たせることができる。
【００２１】
本発明の通信装置における前記送信手段は、前記割り当て方法選択手段が選択した割り当て方法を示す割り当て方法指示コマンドを最大固有値の固有ベクトルから送信する構成を採る。
【００２２】
この構成により、受信側で割り当て方法を判定する際の判定誤りを低減することができ、システムの安定性を向上することができる。
【００２３】
本発明の通信装置は、送受信双方にアレーアンテナを用いて複数の固有ベクトルにより独立な信号を送受信するシステムに用いられ、上記通信装置と無線通信を行う通信装置であって、最大固有値の固有ベクトルにて送信された信号から割り当て方法指示コマンドを抽出して各固有ベクトルに対する符号化データの割り当て方法を判定する割り当て方法判定手段と、前記割り当て方法判定手段の判定結果に基づいて各固有ベクトルにて送信された符号化データに対してターボ復号を行うターボ復号手段とを具備する構成を採る。
【００２４】
この構成により、通信品質の改善についてターボ符号とＭＩＭＯを組み合わせることによる最大限の効果を得ることができるとともに、割り当て方法を判定する際の判定誤りを低減することができ、システムの安定性を向上することができる。
【００２５】
本発明の通信方法は、送受信双方にアレーアンテナを用いて複数の固有ベクトルにより独立な信号を送受信するシステムに用いられる通信方法であって、送信データに対してターボ符号化を行いシステマティックビット及びパリティビットの符号化データを得る工程と、前記各固有ベクトルの固有値を算出する工程と、最大固有値と他の固有値との比率に基づいて前記各固有ベクトルから送信する符号化データの割り当て方法を選択する工程と、選択された割り当て方法に基づいて前記各固有ベクトルにより所定の符号化データを送信する工程とを具備する方法を採る。
【００２６】
この方法により、各固有値が均一の場合には各固有ベクトルにてシステマティックビットを送信し、最大固有値が他の固有値よりも非常に大きい場合にはシステマティックビットを最大固有値の固有ベクトルのみで送信することができるので、通信品質の改善についてターボ符号とＭＩＭＯを組み合わせることによる最大限の効果を得ることができる。
【００２７】
【発明の実施の形態】
本発明の発明者は、ＭＩＭＯにおける通信品質の改善量は固有値の大きさに比例することから、最大固有値が他の固有値よりも非常に大きい場合には、システマティックビットを最大固有値の固有ベクトルのみで送信する方が符号化利得を得ることができ、通信品質の改善量が向上することに着目して本発明をするに至った。
【００２８】
すなわち、本発明の骨子は、最大固有値と他の固有値の比率を測定し、測定結果に基づいて各固有ベクトルで送信する符号化データの種類を制御することである。
【００２９】
以下、本発明の実施の形態について、添付図面を参照して詳細に説明する。なお、各実施の形態では、図１の通信システムに示すように、互いにアレーアンテナを具備する通信装置１０と通信装置２０との間において、２つの固有ベクトルＡ、Ｂ（最大固有値の固有ベクトルを「Ａ」とする）によりデータを送受信する場合について説明する。また、各実施の形態の通信装置は、図６に示したターボ符号器を用いて送信データを符号化するものとする。
【００３０】
（実施の形態１）
図２は、本発明の実施の形態１に係る通信装置の構成を示すブロック図である。なお、図２の通信装置１００は、図１に示した通信装置１０、２０の一方である。
【００３１】
通信装置１００は、アンテナ素子１０１−１〜ｍと、受信ＲＦ部１０２−１〜ｍと、固有値展開部１０３と、割り当て方法選択部１０４と、指向性制御部１０５と、復調部１０６、１０７と、割り当て方法判定部１０８と、ターボ復号部１０９と、ターボ符号化部１５１と、符号割り当て部１５２と、リピティション部１５３と、変調部１５４、１５５と、送信ＲＦ部１５６−１〜ｍとから主に構成されている。
【００３２】
複数のアンテナ素子１０１−１〜ｍは、アダプティブアレーアンテナを構成し、通信相手から送信された信号を受信して対応する受信ＲＦ部１０２−１〜ｍに出力し、対応する送信ＲＦ部１５６−１〜ｍから出力された信号を通信相手に無線送信する。
【００３３】
受信ＲＦ部１０２−１〜ｍは、対応するアンテナ素子１０１−１〜ｍに受信された信号に対して、増幅、ダウンコンバート等の無線処理を行い、ベースバンドの信号を固有値展開部１０３及び指向性制御部１０５に出力する。
【００３４】
固有値展開部１０３は、受信ＲＦ部１０２−１〜ｍから出力された信号に基づいて入力信号の相関行列または共分散行列における固有値および固有ベクトルを算出し、各固有値を割り当て方法選択部１０４に、各固有ベクトルを指向性制御部１０５に出力する。
【００３５】
割り当て方法選択部１０４は、最大固有値と他の固有値との比率を算出し、この比率と予め設定された閾値との大小比較を行い、判定結果に基づいて符号割り当て方法を選択し、選択した符号割り当て方法を指示するコマンド（以下、「割り当て方法指示コマンド」という）を符号割り当て部１５２及び変調部１５４に出力する。なお、割り当て方法選択部１０４の処理の詳細については後述する。
【００３６】
指向性制御部１０５は、受信ＲＦ部１０２−１〜ｍから出力された信号を、固有値展開部１０３から出力された固有ベクトルを用いて合成し、復調部１０６、１０７に出力する。また、指向性制御部１０５は、変調部１５４、１５５から出力された信号をそれぞれアンテナ素子の数ｍに分け、各信号に対して固有ベクトルを用いて複素乗算処理を行い、これらの信号を送信ＲＦ部１５６−１〜ｍに出力する。
【００３７】
復調部１０６は、指向性制御部１０５から出力された信号であって、固有ベクトルＡで受信された信号を復調し、制御信号を割り当て方法判定部１０８に出力し、符号化データをターボ復号部１０９に出力する。また、復調部１０７は、指向性制御部１０５から出力された信号であって、固有ベクトルＢで受信された信号を復調し、符号化データをターボ復号部１０９に出力する。
【００３８】
割り当て方法判定部１０８は、復調部１０６の出力信号に含まれる割り当て方法指示コマンドに基づいて、通信相手の符号割り当て方法を判定し、判定結果をターボ復号部１０９に出力する。
【００３９】
ターボ復号部１０９は、割り当て方法判定部１０８の判定結果に基づいて、復調部１０６、１０７から出力された符号化データに対してターボ復号処理を行って受信データを取り出す。
【００４０】
ターボ符号化部１５１は、送信データに対してターボ符号化処理を行って、システマティックビットＸ及びパリティビットＹ１、Ｙ２からなる符号化データを符号割り当て部１５２に出力する。
【００４１】
符号割り当て部１５２は、割り当て方法選択部１０４からの割り当て方法指示コマンドに基づいて、ターボ符号化部１５１から出力された符号化データを変調部１５４あるいは変調部１５５に出力し、リピティション部１５３に制御信号を出力する。符号割り当て部１５２の処理の詳細は後述する。
【００４２】
リピティション部１５３は、ターボ符号化部１５１から出力された符号化データ（パリティビットＹ２）に対してリピティション（繰り返し）処理を行い、符号割り当て部１５２からの制御信号に従ってリピティション処理後の符号化データを変調部１５５に出力する。
【００４３】
変調部１５４は、固有ベクトルＡで送信するデータであって、符号割り当て部１５２から出力された符号化データ及び割り当て方法選択部１０４からの割り当て方法指示コマンドを変調し、変調信号を指向性制御部１０５に出力する。
【００４４】
変調部１５５は、固有ベクトルＢで送信する符号化データであって、符号割り当て部１５２あるいはリピティション部１５３から出力された符号化データを変調し、変調信号を指向性制御部１０５に出力する。
【００４５】
送信ＲＦ部１５６−１〜ｍは、指向性制御部１０５から出力された信号に対して、増幅、アップコンバート等の無線処理を行い、対応するアンテナ素子１０１−１〜ｍに出力する。
【００４６】
次に、割り当て方法選択部１０４及び符号割り当て部１５２の処理の詳細について、図３を用いて説明する。図３は、本実施の形態の各固有ベクトルで送信されるデータを説明する図である。図３（ａ）は、最大固有値と他の固有値との比率が閾値以下である場合の各固有ベクトルで送信される符号化データを示し、図３（ｂ）は、最大固有値と他の固有値との比率が閾値より大きい場合の各固有ベクトルで送信される符号化データを示す。
【００４７】
割り当て方法選択部１０４は、最大固有値と他の固有値との比率が閾値以下の場合、システマティックビットを各固有ベクトルで送信する符号割り当て方法を選択し、この選択結果を示すコマンド「０」を出力する。
【００４８】
符号割り当て部１５２は、割り当て方法選択部１０４から割り当て方法指示コマンド「０」を入力した場合、システマティックビットＸ及びパリティビットＹ１を変調部１５４に出力し、システマティックビットＸ及びパリティビットＹ２を変調部１５５に出力し、リピティション部１５３に対して符号化データの出力を停止させるように制御する。
【００４９】
この結果、通信装置１００は、図３（ａ）に示すように、各固有ベクトルＡ、ＢにてシステマティックビットＸを送信する。
【００５０】
一方、割り当て方法選択部１０４は、最大固有値と他の固有値との比率が閾値よりも大きい場合、システマティックビットを最大固有値の固有ベクトルのみで送信する符号割り当て方法を選択し、この選択結果を示すコマンド「１」を出力する。
【００５１】
符号割り当て部１５２は、割り当て方法選択部１０４から割り当て方法指示コマンド「１」を入力した場合、システマティックビットＸ及びパリティビットＹ１を変調部１５４に出力し、リピティション部１５３に対して符号化データを変調部１５５に出力するように制御する。
【００５２】
この結果、通信装置１００は、図３（ｂ）に示すように、最大固有値の固有ベクトルＡのみにてシステマティックビットＸを送信し、固有ベクトルＢにてリピティションされたパリティビットＹ２を送信する。固有値が小さい固有ベクトルでリピティションを用いることで信号品質を改善することができ、ビーム間の品質を均一化することができる。
【００５３】
このように、各固有値が均一の場合には各固有ベクトルにてシステマティックビットを送信し、最大固有値が他の固有値よりも非常に大きい場合にはシステマティックビットを最大固有値の固有ベクトルのみで送信することにより、通信品質の改善についてターボ符号とＭＩＭＯを組み合わせることによる最大限の効果を得ることができる。
【００５４】
なお、図３において、図３（ａ）、図３（ｂ）のいずれの場合も、通信装置１００は、割り当て方法指示コマンドを最大固有値の固有ベクトルＡから送信する。これにより、受信側で割り当て方法を判定する際の判定誤りを低減することができ、システムの安定性を向上することができる。
【００５５】
図３の場合、通信相手から最大固有値の固有ベクトルＡで送信された信号は復調部１０６で復調されるので、割り当て方法判定部１０８は、復調部１０６の出力信号から割り当て方法指示コマンドを抽出し、その内容（「０」あるいは「１」）を判定することにより通信相手の符号割り当て方法を知ることができる。
【００５６】
（実施の形態２）
図４は、本発明の実施の形態２に係る通信装置の構成を示すブロック図であり、図４の通信装置２００は、図１に示した通信装置１０、２０の一方である。
【００５７】
なお、図４に示す通信装置２００において、図２に示した通信装置１００と共通する構成部分には図２と同一符号を付し、その説明を省略する。図４の通信装置２００は、図２の通信装置１００に対してパンクチャ部２０１を追加した構成を採る。また、図４の通信装置において、符号割り当て部２０２が、図２の符号割り当て部１５２と異なる処理を行う。
【００５８】
ターボ符号化部１５１は、システマティックビットＸを符号割り当て部２０２に出力し、パリティビットＹ１、Ｙ２をパンクチャ部２０１に出力する。
【００５９】
パンクチャ部２０１は、パリティビットＹ１、Ｙ２をパンクチャリング（間引き処理）し、残ったパリティビットＹ１、Ｙ２を符号割り当て部２０２に出力し、パンクチャされたパリティビットＹ１’、Ｙ２’をリピティション部１５３に出力する。
【００６０】
リピティション部１５３は、パンクチャ部２０１から出力された符号化データ（パリティビットＹ１’、Ｙ２’）に対してリピティション（繰り返し）処理を行い、符号割り当て部２０２からの制御信号に従ってリピティション処理後の符号化データを変調部１５５に出力する。
【００６１】
符号割り当て部２０２は、割り当て方法選択部１０４からの割り当て方法指示コマンドに基づいて、ターボ符号化部１５１及びパンクチャ部２０１から出力された符号化データを変調部１５４あるいは変調部１５５に出力し、リピティション部１５３に制御信号を出力する。
【００６２】
具体的には、符号割り当て部２０２は、割り当て方法選択部１０４から割り当て方法指示コマンド「０」を入力した場合、システマティックビットＸ及びパリティビットＹ１、Ｙ２を変調部１５４、１５５にそれぞれ出力し、リピティション部１５３に対して符号化データの出力を停止させるように制御する。
【００６３】
この結果、通信装置１００は、図５（ａ）に示すように、各固有ベクトルＡ、ＢにてシステマティックビットＸ、パリティビットＹ１、Ｙ２を送信する。したがって、各固有ベクトルから送信する信号を１つの符号化単位として完結させることができる。
【００６４】
一方、符号割り当て部２０２は、割り当て方法選択部１０４から割り当て方法指示コマンド「１」を入力した場合、システマティックビットＸ及びパリティビットＹ１、Ｙ２を変調部１５４に出力し、リピティション部１５３に対して符号化データを変調部１５５に出力するように制御する。
【００６５】
この結果、通信装置１００は、図５（ｂ）に示すように、固有ベクトルＡにてシステマティックビットＸ、パリティビットＹ１、Ｙ２を送信し、固有ベクトルＢにてパンクチャされ、リピティションされたパリティビットＹ１’、Ｙ２’を送信する。したがって、最大固有値の固有ベクトルＡから送信する信号を１つの符号化単位として完結させることができるとともに、最大固有値以外の固有ベクトルＢから送信される符号化データに復号の際の補助的な役割を持たせることができる。
【００６６】
なお、実施の形態１と同様に、図５において、図５（ａ）、図５（ｂ）のいずれの場合も、通信装置２００は、割り当て方法指示コマンドを最大固有値の固有ベクトルＡから送信する。
【００６７】
また、上記各実施の形態では２つの固有ベクトルの場合について説明したが、本発明は固有ベクトルの数に制限はない。また、本発明では、ターボ符号器の構成は図６に示したものに限られない。
【００６８】
【発明の効果】
以上説明したように、本発明によれば、ターボ符号とＭＩＭＯを組み合わせた通信システムにおいて、最大固有値と他の固有値の比率に基づいて各固有ベクトルで送信する符号化データの種類を制御することにより、通信品質の改善についてターボ符号とＭＩＭＯを組み合わせることによる最大限の効果を得ることができる。
【図面の簡単な説明】
【図１】ＭＩＭＯを用いた通信システムの一例を示す図
【図２】本発明の実施の形態１に係る通信装置の構成を示すブロック図
【図３】上記実施の形態の各固有ベクトルで送信される符号化データを説明する図
【図４】本発明の実施の形態２に係る通信装置の構成を示すブロック図
【図５】上記実施の形態の各固有ベクトルで送信される符号化データを説明する図
【図６】ターボ符号化器の構成例を示す図
【符号の説明】
１０１  アンテナ素子
１０２  受信ＲＦ部
１０３  固有値展開部
１０４  割り当て方法選択部
１０５  指向性制御部
１０６、１０７  復調部
１０８  割り当て方法判定部
１０９  ターボ復号部
１５１  ターボ符号化部
１５２、２０２  符号割り当て部
１５３  リピティション部
１５４、１５５  変調部
１５６  送信ＲＦ部
２０１  パンクチャ部
【図１】
2004266364.tif 000004
【図２】
2004266364.tif 000005
【図３】
2004266364.tif 000006
【図４】
2004266364.tif 000007
【図５】
2004266364.tif 000008
【図６】
2004266364.tif 000009